(57)【要約】【課題】防振効果が大きく、しかもファンモータの逆方向への自転を防止することにより、確実に防振対策を行うことのできるファンモータ取付構造を提供する。【解決手段】ファンモータ１０を締結部材を用いて装置本体に取り付けるファンモータ取付構造であって、ファンモータ１０は、防振ゴムで構成されたウェルナット１１を介して取付板１２に取り付けられ、さらに取付板１２は、防振ゴムで構成された防振ゴム１３を介して装置本体に取り付けられている。またウェルナット１１内には第１のねじ１７が、防振ゴム１３内には第２のねじ２５とカラー３０がそれぞれ設けられており、ファンモータ１０および取付板１２がファンモータ１０の回転軸１４を中心にして回転するのが規制されている。【選択図】        図１
2004278995.tif 000002
【特許請求の範囲】
【請求項１】
ファンモータを締結部材を介して装置本体に取り付けるファンモータ取付構造であって、
前記ファンモータが第１の防振部材を介して取付部材に取り付けられ、前記取付部材が第２の防振部材を介して、前記装置本体に取り付けられていることを特徴とするファンモータ取付構造。
【請求項２】
前記取付部材および前記ファンモータがファンモータの回転軸を中心にして回転することを規制する回転規制部材を備えたことを特徴とする請求項１記載のファンモータ取付構造。
【請求項３】
前記回転規制部材は、前記第１の防振部材の中に挿通され前記ファンモータと前記取付部材とを締結する第１の締結部材と、前記第２の防振部材の中に挿通され前記取付部材と前記装置本体とを締結する第２の締結部材とであることを特徴とする請求項１記載のファンモータ取付構造。
【請求項４】
締結部材を用いて装置本体に取り付けられるファンモータユニットであって、
ファンモータと、そのファンモータに防振部材を介して取り付けられた取付部材とを有し、
前記防振部材には、前記ファンモータおよび前記取付部材がファンモータの回転軸を中心にして互に逆方向に回転するのを規制する回転規制部材が設けられていることを特徴とするファンモータユニット。
【請求項５】
室内の空気を循環または／および排気するファンと、前記ファンを回転駆動するファンモータとを備えた空調装置であって、
前記ファンモータが、請求項１〜３のいずれか１項に記載のファンモータ取付構造により、装置本体に取り付けられていることを特徴とする空調装置。
【発明の詳細な説明】
【０００１】
【発明の属する技術分野】
本発明は、空調装置等においてファンモータを装置本体に取り付けるためのファンモータ取付構造、およびそのファンモータ取付構造を採用した空調装置に関する。
【０００２】
【従来の技術】
一般に空調装置には、室内空気を吸い込み、加熱して部屋に送風（暖房運転）したり、建物の外へ排気（換気運転）したりするファンと、このファンを回転駆動するためのファンモータとが設けられている。
【０００３】
従来、ファンモータを空調装置本体に取り付けるには、図８に示すようなファンモータ取付構造が知られている。このファンモータ取付構造においては、リング状の防振ゴム１に円周方向に沿って等間隔に複数の孔１Ａが設けられ、各孔１Ａにはカラー２が挿入されている。また、ファンモータ３には複数箇所に取付孔３Ａが形成され、各取付孔３Ａに通されたねじ４がカラー２に挿通され、さらに装置本体のねじ孔４Ａに螺合されている。
【０００４】
しかし、このファンモータ取付構造では、リング状の防振ゴム１だけで、しかもねじ４とカラー２を用いてファンモータ３が装置本体に取り付けられているので、ファンモータ３の振動がねじ４とカラー２を介して装置本体に伝わってしまい、防振効果はあまり期待できなかった。
【０００５】
そこで、図９に示すようなファンモータ取付構造が考えられている。このファンモータ取付構造は、ファンモータ５の上面と下面に円形の防振ゴム６，７が設けられ、これらファンモータ５と防振ゴム６，７とがモータ取付ケース８Ａ，８Ｂに収納されている。モータ取付ケース８Ａ，８Ｂは二つ割形状をなしており、左右からファンモータ５と防振ゴム６，７を挟み込むようにして一体化される。そして、モータ取付ケース８Ａ，８Ｂに形成された複数の取付穴８Ｃにねじ９が挿通され、各ねじ９は装置本体（図示省略）のねじ孔に螺合される。この種のファンモータ取付構造に関しては、従来より、種々提案されている（例えば、特許文献１参照）。
【０００６】
上記ファンモータ取付構造においては、ファンモータ５とモータ取付ケース８Ａ，８Ｂとの間には防振ゴム６，７が介在されているので、ファンモータ５の振動が直接装置本体に伝わることはなく、防振効果が発揮される。
【０００７】
【特許文献１】
特開平８−３３１８０３号公報
【０００８】
【発明が解決しようとする課題】
しかしながら、上記従来技術では、モータ取付ケース８Ａ，８Ｂの内壁面で防振ゴム６，７の軸部６Ａ，７Ａおよび円板部６Ｂ，７Ｂの両側からファンモータ５を押圧して固定する防振構造であるため、防振ゴム６，７の軸部６Ａ，７Ａの径と円板部６Ｂ，７Ｂの厚さの寸法精度が必要となり、防振ゴム６，７が摩耗したり、ファンモータ５がそれ自身の回転力により逆転方向に回転してしまったり、また、ねじ９の締め付け状態によっては防振ゴム６，７との摩擦抵抗が減少するため、ファンモータ５の位置が安定せずにかえって振動や騒音が発生するという問題があった。
【０００９】
本発明の課題は、より確実に防振対策を行うことが可能なファンモータ取付構造、およびそのファンモータ取付構造を採用した空調装置を提供することにある。
【００１０】
【課題を解決するための手段】
上記課題を解決するために、請求項１に記載の発明は、ファンモータを締結部材を介して装置本体に取り付けるファンモータ取付構造であって、前記ファンモータが第１の防振部材を介して取付部材に取り付けられ、前記取付部材が第２の防振部材を介して、前記装置本体に取り付けられていることを特徴としている。
【００１１】
上記構成によれば、第１の防振部材と第２の防振部材からなる二重の防振構造によって、ファンモータが装置本体に取り付けられているので、振動や騒音が低減され、大きな防振効果が得られる。
【００１２】
請求項２に記載の発明は、請求項１において、前記取付部材および前記ファンモータがファンモータの回転軸を中心にして回転することを規制する回転規制部材を備えたことを特徴としている。
【００１３】
上記構成によれば、回転規制部材が設けられているので、ファンモータの位置が安定し、より確実に防振対策を行うことが可能である。
【００１４】
請求項３に記載の発明は、請求項１において、前記回転規制部材は、前記第１の防振部材の中に挿通され前記ファンモータと前記取付部材とを締結する第１の締結部材と、前記第２の防振部材の中に挿通され前記取付部材と前記装置本体とを締結する第２の締結部材とであることを特徴としている。
【００１５】
上記構成によれば、ファンモータと取付部材とは第１の締結部材で締結されているので、ファンモータの回転軸を中心にして互に逆方向に回転することはなく、しかも第１の締結部材が第１の防振部材の中に挿通されているので、防振効果が低下することはない。また、取付部材と装置本体は第２の締結部材で締結されているので、上記と同様、ファンモータの回転軸を中心にして互に逆方向に回転することはなく、しかも第２の締結部材が第２の防振部材の中に挿通されているので、防振効果が低下することもない。
【００１６】
請求項４はファンモータユニットの発明である。すなわち、請求項４に記載の発明は、締結部材を用いて装置本体に取り付けられるファンモータユニットであって、ファンモータと、そのファンモータに防振部材を介して取り付けられた取付部材とを有し、前記防振部材には、前記ファンモータおよび前記取付部材がファンモータの回転軸を中心にして互に逆方向に回転するのを規制する回転規制部材が設けられていることを特徴としている。
【００１７】
ファンモータユニットとすることにより、ファンモータの交換時にユニットとして交換すれば良く、メンテナンス性がよい。
【００１８】
請求項５は空調装置の発明である。すなわち、請求項５に記載の発明は、室内の空気を循環または／および排気するファンと、前記ファンを回転駆動するファンモータとを備えた空調装置であって、前記ファンモータが、請求項１〜３のいずれか１項に記載のファンモータ取付構造により、装置本体に取り付けられていることを特徴としている。
【００１９】
【発明の実施の形態】
以下、本発明の実施の形態を図面に従って説明する。
（実施の形態１）
図１は実施の形態１によるファンモータ取付構造を示している。このファンモータ取付構造は、図１に示すように、ファンモータ１０と、第１の防振部材としての３個のウェルナット１１と、取付板１２と、第２の防振部材としてのリング状の防振ゴム１３とを備えている。
【００２０】
ファンモータ１０はその中心部に回転軸１４を有し、この回転軸１４の途中には円形状の防振ゴム１５が挿入されている。防振ゴム１５は回転軸１４に固定されてはおらず、自由に回転できる。ファンモータ１０は円柱形をなし、その外周面下部には１２０度間隔で３箇所（図では２箇所のみ示してある）にブラケット１６が設けられ、これらブラケット１６には孔１６Ａが形成されている。孔１６Ａには、第１の締結部材（第１のねじ）としてバインド小ねじ１７が挿通される。
【００２１】
ウェルナット１１は、図２に示すように、円筒形の胴部１８と、この胴部１８の上面に設けられた円形の頭部１９とを有し、これら胴部１８および頭部１９は防振ゴムで構成されている。胴部１８内下部にはナット２０が埋め込まれ、また、頭部１９にはリング状の座金２１が埋め込まれている。座金２１にはバインド小ねじ１７が挿通される。
【００２２】
取付部材としての取付板１２は金属製または樹脂製で、図１に示すように円形をなし、その中心部には貫通孔２２が形成されている。貫通孔２２の内径は、ファンモータ１０の回転軸１４に挿入された防振ゴム１５の外径よりも僅かに小さく形成されている。
【００２３】
また、取付板１２には周縁部よりも少し内側に１２０度間隔で３箇所に貫通孔２３が形成され、これら貫通孔２３にはウェルナット１１の胴部１８が挿通される。さらに、取付板１２には、その周縁部に略半円形状の切り込み２４が４箇所に形成され、これら切り込み２４には第２の締結部材（第２のねじ）としてバインドＰタイトねじ２５が通される。
【００２４】
防振ゴム１３は、取付板１２の外径に略等しいリング状をなし、全体が防振性のゴムで形成されている。また、防振ゴム１３の上面には４箇所に凸部２６が設けられ、これら凸部２６は取付板１２の切り込み２４に合致する位置に形成されている。凸部２６は、図３に示すように、小径部２７と、その小径部２７の上部に設けられた大径部２８とを有し、大径部２８、小径部２７および防振ゴム１３本体を貫通して貫通孔２９が形成されている。貫通孔２９には小円筒体のカラー３０が挿入される。
【００２５】
上記構成のファンモータ取付構造において、ファンモータ１０に取付板１２を取り付けるには、先ず、各ウェルナット１１を取付板１２の貫通孔２３に嵌合させる。このとき、ウェルナット１１内のナット２０が取付板１２の下側に来るまでウェルナット１１を押し込む。
【００２６】
次に、ファンモータ１０と取付板１２とを互に近付けて、ファンモータ１０の回転軸１４を取付板１２の貫通孔２２に挿入し、防振ゴム１５を貫通孔２２に嵌合させる。これにより、ファンモータ１０の回転軸１４は防振ゴム１５を介して取付板１２に支持される。
【００２７】
また、ファンモータ１０と取付板１２とを互に近付ける際に、ファンモータ１０のブラケット１６底面とウェルナット１１上面とを位置合わせする。そして、バインド小ねじ１７をブラケット１６の孔１６Ａを介してウェルナット１１内の座金２１に挿通させ、さらに、図２に二点鎖線で示すように、バインド小ねじ１７をウェルナット１１内のナット２０に螺合させる。これにより、ファンモータ１０と取付板１２とはウェルナット１１を介して互に締結され、本実施の形態では、この締結されたものをモータユニットという。
【００２８】
このモータユニットを空調装置等に取り付ける場合は、防振ゴム１３を介して空調装置本体に取り付ける。この場合、先ず防振ゴム１３の各凸部２６の貫通孔２９にカラー３０を挿入し、さらに凸部２６を取付板１２周縁の切り込み２４に係合させる。防振ゴム１３はゴムで形成されており伸縮自在であるから、防振ゴム１３全体を広げれば、凸部２６を切り込み２４に容易に係合させることができる。実際には、図３に示したように凸部２６には大径部２８の下側に小径部２７が設けられているので、凸部２６を切り込み２４に係合させたとき、小径部２７が切り込み２４に嵌合することになる。
【００２９】
次に、バインドＰタイトねじ２５を防振ゴム１３の凸部２６内のカラー３０に挿通させ、さらにそのバインドＰタイトねじ２５を空調装置の本体ケース（図示省略）に取り付ける。これにより、ファンモータ１０（またはファンユニット）を本体ケースに締結することができる。図１において、２５Ａは本体ケースに設けられたねじ孔であり、ねじ２５が螺合される。
【００３０】
本実施の形態によれば、防振ゴムで形成されたウェルナット１１と防振ゴム１３からなる二重の防振構造によって、ファンモータ１０等が空調装置の本体ケースに取り付けられるので、大きな防振効果が期待できる。
【００３１】
また、ウェルナット１１にはバインド小ねじ１７が、防振ゴム１３にはバインドＰタイトねじ２５がそれぞれ挿通されているので、ファンモータ１０の動作時（回転軸１４の回転時）にファンモータ１０（外郭体）が逆転方向へ回転するのを規制（防止）することができ、ファンモータ１０の適切な位置固定が行える。
【００３２】
さらに、本実施の形態によれば、取付板１２に形成される貫通孔２３の位置（取付板１２の半径方向に沿った位置）を色々と変位させれば、サイズの異なる種々のファンモータ１０にも対応でき、取付板１２に互換性を持たせることが可能となる。
（実施の形態２）
図４は実施の形態２を示している。本実施の形態では、実施の形態１に比べて、取付板１２と防振ゴム１３の位置が逆転している。すなわち、ファンモータ１０と取付板１２との間に防振ゴム１３が配置されている。
【００３３】
防振ゴム１３の凸部２６は取付板１２の切り込み２４に係合するので、本実施の形態では、防振ゴム１３は凸部２６が下側にくるように配置されている。そして、カラー３０は下方から凸部２６内に挿入され、またバインドＰタイトねじ２５は下方から上方（ファンモータ１０側）に向かってカラー３０内に挿通される。
【００３４】
本実施の形態においては、矢印Ａ方向に空調装置の本体ケースが存在し、ファンモータ１０（またはファンモータユニット）は防振ゴム１３を介して本体ケースの一部に取り付けられる。
【００３５】
図５は、ファンモータ１０をウェルナット１１および防振ゴム１３を用いて本体ケースに取り付けたときの、一部を断面にして示した図である。図５において、３１は本体ケースのボスである。なお、図５ではファンモータ１０の内部構成（ロータ、ステータ、ベアリング等）は省略されている。
【００３６】
本実施の形態も、実施の形態１と同様な作用効果を得ることができる。
（実施の形態３）
図６および図７は実施の形態３による空調装置を示しており、この空調装置は、浴室等の天井や壁に設置され、換気、乾燥、暖房、涼風等の少なくともいずれか１つの空調機能を有する。
【００３７】
本実施の形態の空調装置においては、図６に示すように、ファンモータユニット４０は防振ゴム１３を介して本体ケース４１に取り付けられている。ファンモータユニット４０は、図１に示したのと同様なもので、例えばファンモータ１０と取付板１２とがウェルナット１１を介して締結され、ユニット化されたものである。
【００３８】
本体ケース４１にはダンパ取付部４２とヒータ取付部４３が設けられ、ダンパ取付部４２にダンパ４４が、ヒータ取付部４３にヒータユニット４５がそれぞれ取り付けられる。また、モータユニット４０の回転軸１４には、ファンケース４６に収納されたファン４７が連結され、ファン４７はモータユニット４０内のファンモータによって回転駆動される。ファンケース４６の開口部はファンケース蓋４８で覆われている。
【００３９】
また、本体ケース４１は不燃カバー４９で覆われている。図７は、本体ケース４１と不燃カバー４９を図６とは反対方向から見た図である。本実施の形態の空調装置は、ダンパ取付部４２に取り付けられたダンパ４４を切換操作することにより、ファン４７により吸い込まれた室内空気を建物の外へ排気したり、ヒータユニット４５で暖めてから部屋に送風したりすることができるようになっている。
【００４０】
【発明の効果】
以上説明したように、本発明によれば、第１の防振部材と第２の防振部材からなる二重の防振構造によって、ファンモータが装置本体に取り付けられているので、大きな防振効果を得ることができる。
【００４１】
また、第１の防振部材および第２の防振部材に回転規制部材が設けられているので、ファンモータの回転時にファンモータが逆方向へ回転するのを防止することから、ファンモータの位置が安定するため、より確実に防振対策を行うことが可能である。
【図面の簡単な説明】
【図１】実施の形態１によるファンモータ取付構造を示す分解斜視図である。
【図２】ウェルナットの内部構成図である。
【図３】防振ゴムの凸部の内部構成図である。
【図４】実施の形態２によるファンモータ取付構造を示す分解斜視図である。
【図５】ファンモータをウェルナットおよび防振ゴムを用いて本体ケースに取り付けたときの、一部を断面にして示した図である。
【図６】実施の形態３による空調装置の分解斜視図である。
【図７】図６の空調装置を視点を変えて見たときの分解斜視図である。
【図８】従来技術によるファンモータ取付構造を示す分解斜視図である。
【図９】従来技術の他の例によるファンモータ取付構造を示す分解斜視図である。
【符号の説明】
１０  ファンモータ
１１  ウェルナット（第１の防振部材）
１２  取付板
１３  防振ゴム（第２の防振部材）
１４  回転軸
１５  防振ゴム
１７  バインド小ねじ（第１の締結部材）
２５  バインドＰタイトねじ（第２の締結部材）
３０  カラー
４０  ファンモータユニット
４１  本体ケース
４６  ファンケース
４７  ファン
４８  ファンケース蓋
【図１】
2004278995.tif 000003
【図２】
2004278995.tif 000004
【図３】
2004278995.tif 000005
【図４】
2004278995.tif 000006
【図５】
2004278995.tif 000007
【図６】
2004278995.tif 000008
【図７】
2004278995.tif 000009
【図８】
2004278995.tif 000010
【図９】
2004278995.tif 000011